(57)【要約】【課題】使用者による直観的な作業で簡単にリフィルユニットの交換が行えるとともに、廃棄部品の少ない、詰め替え式の塗膜転写具を提供する。【解決手段】転写ヘッド１１を取り付けた支持部３と蓋部４とからなる開閉式のケース２内に、未使用の転写テープ８を巻装した供給リール５と巻取リール６とを備えるホルダー７からなるリフィルユニット９を交換可能に装填してなる塗膜転写具であって、転写ヘッド１１が前後に摺動可能に支持部３に取り付けられており、支持部３と蓋部４の開閉に連動して転写ヘッド１１が一定量可動する。これにより、リフィルユニット９の取り出しが容易で、転写テープの詰め替えを簡単に行うことができるとともに、ケース側に転写ヘッドを残す構造であるため、廃棄部品を低減することができる。【選択図】図５
2014128930.tif 000002
【特許請求の範囲】
【請求項１】
転写ヘッドを取り付けた支持部と蓋部とからなり前端に開口部を有する開閉式のケース内に、未使用の転写テープを巻装した供給リールと巻取リールとホルダーからなるリフィルユニットを交換可能に装填し、供給リールに巻装した転写テープを繰出し、転写ヘッド先端部で反転させて巻取リールに巻取らせるようにした塗膜転写具であって、
前記転写ヘッドが前後に摺動可能に支持部に取り付けられており、支持部と蓋部の開閉
動作に連動して転写ヘッドが一定量可動することを特徴とする塗膜転写具。
【請求項２】
転写ヘッドに、該転写ヘッドを支持部と蓋部の開閉動作に連動して後方に可動させるためのばね部材を設けたことを特徴とする請求項１記載の塗膜転写具。
【請求項３】
前記転写ヘッドに係止突起を設けるとともに、対向する蓋部に、前記係止突起が係着しうる係止孔と該係止孔に向かって下降傾斜した傾斜面を設けたことを特徴とする請求項１又は２記載の塗膜転写具。
【請求項４】
支持部と蓋部との開閉動作に連動して、閉蓋状態では、転写ヘッドに設けられた係止突起が蓋部に設けられた係止孔に係止することにより、転写ヘッドが前進して転写テープを転写ヘッド先端部で張架される状態に保持し、開蓋状態では、前記係止が解除されることにより、ばね部材の付勢力によって転写ヘッドが一定量後退した状態となり、
蓋部を開蓋状態から閉蓋状態にする動作によって、係止突起が蓋部に設けられた傾斜面に沿って係止孔に案内されることで、後退した転写ヘッドが、転写テープが張架される位置まで前進することを特徴とする請求項２又は３記載の塗膜転写具。
【請求項５】
リフィルユニットのホルダーに、供給リールから引き出される転写テープが、転写ヘッド先端部において張架される状態を保持するためのテープ保持部を設けたことを特徴とする請求項１〜４のいずれか記載の塗膜転写具。
【請求項６】
転写ヘッドが前後に摺動可能に取り付けられた支持部と蓋部とからなる、前端に開口を有する開閉式のケースであって、
転写ヘッドに、係止突起を設けるとともに、対向する蓋部に、前記係止突起が係着しうる係止孔と、前記係止突起を該係止孔に導くための該係止孔に向かって下降傾斜した傾斜面とを設け、支持部と蓋部の開閉動作に連動して転写ヘッドが一定量可動するようにしたことを特徴とする塗膜転写具ケース。
【請求項７】
転写ヘッドに、該転写ヘッドを後方に可動させるためのばね部材を設けたことを特徴とする請求項６記載の塗膜転写具ケース。
【発明の詳細な説明】
【技術分野】
【０００１】
本発明は、手で把持して紙面等を押圧しながら移動させることにより、供給リールから繰出される転写テープに塗布されている塗膜を、紙面等に転写する塗膜転写具に関するものである。
【背景技術】
【０００２】
従来、塗膜転写具としては、前端が開口するケース内に供給リールと巻取リールを配設し、該開口より転写ヘッドの前端を突出させ、供給リールに巻回した転写テープ（基材の片面に塗膜を形成したもの）を繰出し、転写ヘッドの前端で反転させて巻取リールに巻取らせるようにした構造が一般的である（例えば、特許文献１、２参照）。
【０００３】
また、ケース本体と蓋体とからなる開閉式のケース内に、未使用の転写テープを交換可能に装填してなる詰め替え式の塗膜転写具も知られている。この詰め替え式の塗膜転写具では、転写テープの交換を容易にするためリフィルユニットが多用されているが、リフィルユニットの大部分は、転写ヘッド、未使用の転写テープを巻装した供給リール及び使用済み転写テープを巻き取る巻取リールを備えるものである。そのため、リフィルユニットの廃棄にともない、塗膜転写具の主要部品を廃棄することとなり、環境面及び経済面で課題がある。
【０００４】
転写ヘッドがケース本体に残る詰め替え式の塗膜転写具も一部に見受けられる（例えば、特許文献３参照）。しかしながら、ケースを開く構造は、ケースが略テープ中心面で分断され使用者が手前方向にカバーを開くものが一般的であるのに対し、特許文献３に記載された塗膜転写具の構造は、テープ中心面に対して垂直な軸を中心にカバーを回転させてカバーの開閉を行うため、不慣れな使用者には難しいものとなっていた。また、カバーに形成された歯車とヘッドの歯車が噛合する構造であるため、噛合不良が生じる恐れがある。
【先行技術文献】
【特許文献】
【０００５】
【特許文献１】特開２００３−０５４１９０号公報
【特許文献２】特開２００８−３０２５９８号公報
【特許文献３】特開２００８−１６８５５４号公報
【発明の開示】
【発明が解決しようとする課題】
【０００６】
本発明は詰め替え式の塗膜転写具において、使用者による直観的な作業で簡単にリフィルユニットの交換が行えるとともに、廃棄部品の少ない塗膜転写具を提供することを目的とする。
【課題を解決するための手段】
【０００７】
上記目的を達成するため、本発明は下記の構成の塗膜転写具及び塗膜転写具ケースを提供する。
【０００８】
（１）転写ヘッドを取り付けた支持部と蓋部とからなり前端に開口部を有する開閉式のケース内に、未使用の転写テープを巻装した供給リールと巻取リールとホルダーからなるリフィルユニットを交換可能に装填し、供給リールに巻装した転写テープを繰出し、転写ヘッド先端部で反転させて巻取リールに巻取らせるようにした塗膜転写具であって、
前記転写ヘッドが前後に摺動可能に支持部に取り付けられており、支持部と蓋部の開閉動作に連動して転写ヘッドが一定量可動することを特徴とする塗膜転写具。
（２）転写ヘッドに、該転写ヘッドを支持部と蓋部の開閉動作に連動して後方に可動させるためのばね部材を設けたことを特徴とする上記（１）記載の塗膜転写具。
（３）前記転写ヘッドに係止突起を設けるとともに、対向する蓋部に、前記係止突起が係着しうる係止孔と該係止孔に向かって下降傾斜した傾斜面を設けたことを特徴とする上記（１）又は（２）記載の塗膜転写具。
（４）支持部と蓋部との開閉動作に連動して、閉蓋状態では、転写ヘッドに設けられた係止突起が蓋部に設けられた係止孔に係止することにより、転写ヘッドが前進して転写テープを転写ヘッド先端部で張架される状態に保持し、開蓋状態では、前記係止が解除されることにより、ばね部材の付勢力によって転写ヘッドが一定量後退した状態となり、
蓋部を開蓋状態から閉蓋状態にする動作によって、係止突起が蓋部に設けられた傾斜面に沿って係止孔に案内されることで、後退した転写ヘッドが、転写テープが張架される位置まで前進することを特徴とする上記（２）又は（３）記載の塗膜転写具。
（５）リフィルユニットのホルダーに、供給リールから引き出される転写テープが、転写ヘッド先端部において張架される状態を保持するためのテープ保持部を設けたことを特徴とする上記（１）〜（４）のいずれか記載の塗膜転写具。
（６）転写ヘッドが前後に摺動可能に取り付けられた支持部と蓋部とからなる、前端に開口を有する開閉式のケースであって、
転写ヘッドに、係止突起を設けるとともに、対向する蓋部に、前記係止突起が係着しうる係止孔と（前記係止突起を該係止孔に導くための）前記係止孔に向かって下降傾斜した傾斜面とを設け、支持部と蓋部の開閉動作に連動して転写ヘッドが一定量可動するようにしたことを特徴とする塗膜転写具ケース。
（７）転写ヘッドに、該転写ヘッドを後方に可動させるためのばね部材を設けたことを特徴とする上記（６）記載の塗膜転写具ケース。
【発明の効果】
【０００９】
請求項１記載の発明によれば、蓋部を開ける動作と連動して、転写ヘッドが転写テープの張架位置から反対方向に離れるので、リフィルユニットの取り出しが容易となり、蓋部を閉める動作と連動して、転写ヘッドがテープ張架位置に復帰するので、転写可能な状態となる。これにより、使用者が特に複雑な動作を意識することなく、転写テープの詰め替えを行うことができる。また、ケース側に転写ヘッドを残す構造のため、廃棄部品を低減することができる。
【００１０】
請求項２記載の発明によれば、転写ヘッドを容易に後方位置に戻すことができ、転写ヘッドの摺動及び転写テープの転写ヘッドからの離反が、容易かつ確実な塗膜転写具を得ることができる。
請求項３記載の発明によれば、転写ヘッドを確実に前方に摺動させることができ、転写ヘッドにかかる外部荷重に対して、転写ヘッドの規制をより強固にした塗膜転写具を得ることができる。
請求項４記載の発明によれば、各部品の構造及び形状が単純であり、かつ簡単にリフィルユニットの交換が行える塗膜転写具を得ることができる。
請求項５記載の発明によれば、廃棄するリフィルユニットの開蓋状態での引上げならびにケースへの挿入作業中における転写テープの弛み、遊びの制御が容易で、詰め替え作業をより確実に行える塗膜転写具を得ることができる。
【００１１】
請求項６、請求項７記載の発明によれば、簡単にリフィルユニットの交換が行えるとともに、廃棄部品の少ない塗膜転写具ケースを得ることができる。
【図面の簡単な説明】
【００１２】
【図１】本発明の一実施形態にかかる塗膜転写具の斜視図である。
【図２】図１に示す塗膜転写具の分解斜視図である。
【図３】図１に示す塗膜転写具のリフィルユニットとケース蓋部、摺動機構部の分解斜視図である。
【図４】図１に示す塗膜転写具の巻取機構の分解斜視図である。
【図５】図１に示す塗膜転写具のリフィル交換時の一連の動作を示す図である。    （ａ）ケース蓋部を開き、開蓋動作と連動して転写ヘッドが後退した状態を示す正面図。                                                                        （ｂ）引き上げたリフィルユニットがケースと分離した状態を示す分解斜視図。    （ｃ）リフィルユニット交換後ケース蓋部と支持部を係着させた状態を示す正面図。
【図６】塗膜転写具のリフィルユニットを除外した、ケース蓋部と転写ヘッドとの連動部位を示す分解斜視図である。
【発明を実施するための最良の形態】
【００１３】
以下、本発明の塗膜転写具の実施形態を、図面を参照して説明する。
図１〜図４は、本発明の実施形態に係る塗膜転写具の構造を説明する図である。また、図５〜図６は、塗膜転写具の交換時の一連の動作態様を説明する図である。
【００１４】
次に図１〜４を用いて、本発明の実施形態における塗膜転写具の構成を説明する。
【００１５】
本発明に係る塗膜転写具１は、図１及び図２に示すように、前端に開口部２ａを有する開閉式の塗膜転写具ケース（以下、単に「ケース」と称する。）２と、該ケース２内に、未使用の転写テープ８を巻装した供給リール５と巻取リール６とホルダー７からなるリフィルユニット９を交換可能に装填してなるものであり、供給リール５に巻装した未使用の転写テープ８を繰出し、転写ヘッド１１の先端部で反転させて巻取リール６に巻取らせるようにした塗膜転写具である。
【００１６】
一般的に、転写テープ８は、ポリエチレンテレフタレート、ポリプロピレン、ポリエチレン等のプラスチックフィルムまたは紙からなる、厚さ３〜６０μｍの基材の片面もしくは両面にシリコン樹脂等の離型層を形成し、この基材の片面に、従来公知の方法で粘着剤等を塗布することにより作製される。粘着剤としては、アクリル樹脂系、ビニル樹脂系、ロジン系、ゴム系等の粘着剤、或いはこれらの粘着剤に架橋剤、粘着付与剤、可塑剤、老化防止剤、充填剤、増粘剤、ｐＨ調整剤、消泡剤等の助剤を適宜配合したものが用いられる。具体的には、基材の片面に粘着層を設けたものが粘着テープ；基材の片面に隠蔽力のある顔料とバインダーとしての高分子樹脂等からなる隠蔽層を設け、その上に粘着層を設けたものが修正テープ；基材の片面に蛍光着色層を設け、その上に粘着層を設けたものが蛍光テープである。基材の片面に形成される層の厚さは、通常、乾燥後において約０．３〜６０μｍの範囲である。
【００１７】
ケース２は、支持部３と蓋部４とから構成されている。使用済の転写テープ８の交換作業は、ケース２の蓋部４を開蓋してリフィルユニット９を取り出し、その後、未使用の転写テープを巻装した供給リール５と巻取リール６とホルダー７からなるリフィルユニット９をケース２内に装填し、ケース２の蓋部４を閉蓋することによって完了する。
【００１８】
本発明の塗膜転写具においては、ケース２は、支持部３に、転写ヘッド１１が前後に摺動可能に取付けられており、支持部３と蓋部４の開閉動作に連動して転写ヘッド１１が一定量前後に可動する点に特徴が有る。即ち、閉蓋時には、転写ヘッド１１が開口部２ａより突出した状態となり（図１参照）、これにより塗膜の転写が可能になる。また、開蓋時には、突出した転写ヘッド１１が後に摺動した状態となり、これによりリフィルユニットの交換が容易になる。なお、本発明では、塗膜転写具を後退させる方向を後方向、その逆方向を前方向と言う。
【００１９】
図２及び図３に示すように、ケース２の支持部３と蓋部４には、互いに対向する位置に係着部２ｂが設けられており、この係着部２ｂによって、支持部３と蓋部４とが脱着可能な状態となっている。また、これらの図では、ケース２の支持部３と蓋部４とが、ケース２の長手方向に設けられた蝶番２ｃを介して回転可能に軸支された開閉方式を示している。この開閉方式によれば、開閉動作時に支持部３と蓋部４がバラバラになり難く、簡単な開閉動作でリフィルユニットを交換することができ、しかも、開閉動作にブレが生じ難いので、開閉動作に連動して確実に転写ヘッドが一定量可動する。ただし、本発明ではケース２の開閉方式を特に限定するものではなく、支持部３と蓋部４とが互いに分離した構造であっても構わない。
【００２０】
ケース２の支持部３には、転写ヘッド１１、該転写ヘッド１１を摺動可能にする摺動機構１２、供給リール５と巻取リール６とを連動させる巻取機構１０が設けられている（主に図２を参照）。摺動機構１２は、転写ヘッド１１が、ケース２の支持部３と蓋部４の開閉動作に連動して転写ヘッド１１が一定量可動するようにした機構であり、図２に摺動機構の一実施形態を示す。
【００２１】
図２では、転写ヘッド１１に、転写ヘッド先端部１１ａとなる転写ローラー１１ｂ、該転写ローラー１１ｂを両側から軸着するアーム１１ｃ、転写ヘッド１１を支持部３に固定するための部材として平板状の係止部１１ｄを設けるとともに、開閉動作に連動して転写ヘッド１１を一定量可動させるための係止突起１１ｅ（詳細は後述する）を設けている。
【００２２】
係止部１１ｄは、転写ヘッド１１の摺動動作を安定化するため、転写ローラー１１ｂに対して直角かつ転写ヘッド１１の可動方向と平行に、アーム１１ｃの両側（図面ではアーム１１ｃに対して上側と下側）に設けることが望ましい。転写ヘッド１１の係止部１１ｄを、支持部３の前方部分に設けられた２つの係止部（フック等）３ｃにそれぞれ挿入することより、転写ヘッド１１が支持部３から離反されないよう係止し、かつ摺動可能に装着することができる。
【００２３】
摺動機構１２としては、ケース２の支持部３と蓋部４の開閉動作に連動して転写ヘッド１１を一定量可動させるため、特にケース２の開蓋時に転写ヘッド１１を後退させるためには、ばね部材による伸縮機構又はカム機構を採用することが望ましい。
【００２４】
図２には、ばね部材を用いた例として、支持部３に設けた円筒状の挿入部３ｅに、第１のばね１３を配設した例を示す。転写ヘッド１１は、支持部３と対向する面に前述の挿入部３ｅと同様の挿入部１１ｆを設けることで、第１のばね１３が互いの挿入部に係ることにより、ケース支持部３と連結される。当該構成によりケース開口部２ａから収納される方向（後方向）に常に付勢力が働いている。そのため、支持部３には、２つの係止部３ｃの間に、ばねの付勢力で後退した転写ヘッド１１を一定量の可動で停止するための係止部３ｄを設けている。
【００２５】
一方で、図２及び図３に示すように、転写ヘッド１１には、係止突起１１ｅが設けられており、この係止突起１１ｅは、対向する蓋部４の前方に設けた係止孔４ａに係着しうる位置に、かつ、転写ローラー１１ｂの長軸方向と略平行となる位置に設けられることで、係止孔４ａと脱着可能に係着される。即ち、係止突起１１ｅと係止孔４ａが、ケース２の蓋部４が、ケース２の支持部３と閉蓋状態にある時は、係止突起１１ｅが係止孔４ａに係ることにより、転写ヘッド１１が後退しないように位置を規制する。一方、ケース２の蓋部４が、ケース２の支持部３から離反し開蓋状態にある時は、係止が解除されることで、転写ヘッド１１が摺動可能な状態になる。
【００２６】
上記の係止突起１１ｅと係止孔４ａは、転写時に加わる押圧荷重に耐える程度に係着していることが望ましい。
【００２７】
また、転写ヘッド１１と対向する蓋部４には、上記の係止突起１１ｅが係着しうる係止孔４ａと、係止突起１１ｅを係止孔４ａに導くための係止孔４ａに向かって下降傾斜した傾斜面４ｂが設けられている。傾斜面４ｂは、係止突起１１ｅの直径且つ、蓋部４の閉蓋時の前記係止突起１１ｅの移動領域を含む面積を有しており、また傾斜角が小さいほど閉蓋荷重が増加するため、傾斜角は他部品に干渉しない程度に高くすることが望ましい。
【００２８】
ケース２の蓋部４における係止孔４ａの形状は、ケース蓋部４の材質や形状にあわせて適宜決定すればよく、図示した円形状に限定されるものではなく、楕円形状、矩形状、円錐状等の公知の形状でもよく、一部が切り欠けた円形状等でもよい。また、係止孔は貫通孔、非貫通孔のいずれでもよい。
【００２９】
ケース２の支持部３で採用する巻取機構１０は、大ギア１４、第２のばね１５、ばね抑え１６、小ギア１７からなり（図４を参照）、大ギア１４と小ギア１７がケース支持部３に設けられたシャフト３ｂに回転可能に軸支されている。ばね抑え１６の係止爪が大ギア１４の貫通穴に係止され、ばね抑え１６に軸支された第２のばね１５が２部品を反発させるよう介在している。ばね抑え１６に形成されたリブが、供給リール５の内径に形成されたリブと係止されることで同一に回転する。小ギア１７は巻取リール６の歯車６ｂと噛合する。ばね抑え１６の回転は、第２のばね１５の摩擦力を介して大ギア１４に伝わり、各ギアの外周に形成される歯車が噛合することで巻取リール６へと回転を伝達する。
【００３０】
また、支持部３にはリフィルユニット９を取り付けるための突起（ボス）３ａが２箇所に設けられており、ホルダー７に設けられたピン７ａ（図２では１箇所しか見えない）と脱着可能に係止される（図２及び図３を参照）。
【００３１】
リフィルユニット９のホルダー７は、図３に示すように、その略前方に、転写ヘッド１１が収納される開口部７ｃを有し、転写テープ幅よりやや広幅の溝を有するテープ保持部７ｄを設け、テープ幅方向を規制することが望ましい。テープ保持部７ｄは、供給リールから引き出される転写テープ８が、転写ヘッド先端部１１ａにおいて張架される状態を保持しやすくする。テープ保持部７ｄの形状は、転写ヘッドによって張架されていない状態に生ずる遊びによってテープが容易に乗り越えない程度の高さにすることが望ましいが、詳細な形状は図３に示す形状に限定されるものではなく、適宜な形状であってよい。
【００３２】
上記のホルダー７のほぼ中心には、供給リール５を回転可能に懸架するシャフト７ｅ、中心を挟んでテープ保持部７ｄと反対側には、巻取リール６を懸架するシャフト７ｆを設けている。
【００３３】
供給リール５には、片面に塗膜を有する転写テープ８が巻装され、供給リール５から引き出された転写テープ８は、転写ヘッド先端部１１ａで反転され、巻取リール６に巻き取られた状態になる。巻取リール６には円周状のラック歯６ａ（歯車６ｂの反対側にあるため図３では見えない）が形成され、ホルダー７に形成される爪７ｂと係止されることにより、逆転防止機構を構成している。
【００３４】
巻取リール６にはホルダー７に対して逆側面に歯車６ｂが形成されており、ケース支持部３に配設される巻取機構１０と脱着可能に噛合する。ホルダー７略中央部には、ホルダー７の指先での把持、引上げを容易にするため、波状壁面７ｇが形成されている。
【００３５】
上記した支持部３と蓋部４とからなるケース２は、転写ヘッド１１が前後に摺動可能に取り付けられた支持部３と蓋部４とからなる、前端に開口を有する開閉式のケースであって、転写ヘッド１１に係止突起１１ｅを設け、該係止突起１１ｅと対向する蓋部に係止突起１１ｅが係着しうる係止孔４ａと係止突起１１ｅを係止孔４ａに導くための係止孔４ａに向かって下降傾斜した傾斜面４ｂとを設けている。このケース２に、未使用の転写テープを巻装した供給リールと巻取リールと上記したホルダーからなるリフィルユニットを交換可能に装填する。ケース２は、繰り返し利用することが廃棄物を減少させる点からは望ましいが、状況により１回のみの使用も可能である。
【００３６】
次に、図５及び図６を用いて、リフィルユニット９交換時の一連の動作態様を説明する。本交換は転写テープ８を使い切った状態から行われることが一般的であるが、転写テープ８が残っている状態で行っても構わない。
【００３７】
先ず、ケース２の蓋部４を開く動作により、蓋部４の係止孔４ａに係止されていた転写ヘッド１１の係止突起１１ｅの係止が解除される。解除にともない、転写ヘッド１１が第１のばね１３の付勢力に従い、開口部２ａとは反対方向に移動し、ケース２の支持部３に設けられている係止部３ｄにより一定量移動したのち停止する。ケース２の蓋部４は、完全に開放した位置で係止される（図５（ａ）参照）。
【００３８】
使用者がホルダー７の波状壁面７ｇを把持し、ホルダー７を引き上げると、供給リール５と巻取リール６とケース支持部３に設けられた巻取機構１０の係着が解除され、リフィルユニット９がケース２と分離する（図５（ｂ）参照）。
【００３９】
次に、未使用の転写テープを巻装した供給リールと巻取リールとホルダーからなるリフィルユニット９を、対応する箇所へ配設し、ケース２の蓋部４を閉蓋させるよう動作すると、蓋部４の傾斜面４ｂと転写ヘッド１１の係止突起１１ｅが当接する。さらに使用者により蓋部４に荷重を加え続けると、転写ヘッド１１の係止突起１１ｅが傾斜面４ｂに案内され、転写ヘッド１１を付勢している第１のばね１３に反発しながら、転写ヘッド１１がケース２の前方に移動する。
【００４０】
ホルダー７先端のテープ保持部７ｄに懸架された転写テープ８の背面から、転写ヘッド１１が押し込まれるのと同時に、傾斜面４ｂの端に形成された係止孔４ａに係止突起１１ｅが係着し、係止突起１１ｅの側面が係止孔４ａの溝又は孔の周壁に係止されることで、転写テープ８が張架された位置で転写ヘッド１１が係止される（図５（ｃ）、図６参照）。
【００４１】
上記一連の動作により、支持部３と蓋部４の開閉動作に連動して、転写ヘッド１１が一定量前後に可動する。
【００４２】
つまり、本発明の塗膜転写具は、支持部３と蓋部４との開閉動作に連動して、閉蓋状態では、転写ヘッド１１に設けられた係止突起１１ｅが蓋部に設けられた係止孔４ａに係止することにより、転写ヘッド１１が前進して転写テープを転写ヘッド先端部で張架される状態に保持する。開蓋状態では、前記係止が解除されることにより、第１のばね１３の付勢力によって転写ヘッド１１が一定量後退した状態となる。そして、蓋部４を開蓋状態から閉蓋状態にする動作によって、係止突起１１ｅが蓋部に設けられた傾斜面４ｂに沿って係止孔４ａに案内されることで、後退した転写ヘッドが、転写テープが張架される位置まで前進することが可能となる。
【００４３】
以上説明した通り、本発明の塗膜転写具は、ケース２の蓋部４の開閉動作に連動して、転写ヘッド１１が一定量可動するので、ケース２側に転写ヘッド１１を残す構造でありながら、簡易な操作でリフィルユニットの交換を行うことが可能となる。また、使用者が特に複雑な動作を意識することなく、テープ詰め替えを行うことができる。また、ケース側に転写ヘッドを残す構造であるため、廃棄部品の低減が期待できる。
【００４４】
以上、本発明に係る塗膜転写具の実施形態について説明したが、本発明はこれら実施形態に限定されるものではなく、本発明の範囲を逸脱することなく種々の変形が可能である。
【産業上の利用可能性】
【００４５】
本発明の塗膜転写具は、粘着テープ、修正テープ、蛍光テープ等のテープ類を装着して使用することができる。
【符号の説明】
【００４６】
１      塗膜転写具
２      ケース
２ａ    開口部
２ｂ    係着部
２ｃ    蝶番部
３      支持部
３ａ    ボス
３ｂ    シャフト
３ｃ    係止部
３ｄ    係止部
３ｅ    挿入部
４      蓋部
４ａ    係止孔
４ｂ    傾斜面
５      供給リール
６      巻取リール
６ａ    ラック歯
６ｂ    歯車
７      ホルダー
７ａ    ピン
７ｂ    爪
７ｃ    開口部
７ｄ    テープ保持部
７ｅ    シャフト
７ｆ    シャフト
７ｇ    波状壁面
８      転写テープ
９      リフィルユニット
１０      巻取機構
１１      転写ヘッド
１１ａ    転写ヘッド先端部
１１ｂ    転写ローラー
１１ｃ    アーム
１１ｄ    係止部
１１ｅ    係止突起
１１ｆ    挿入部
１２      摺動機構
１３      第１のばね
１４      大ギア
１５      第２のばね
１６      ばね抑え
１７      小ギア
【図１】
2014128930.tif 000003
【図２】
2014128930.tif 000004
【図３】
2014128930.tif 000005
【図４】
2014128930.tif 000006
【図５】
2014128930.tif 000007
【図６】
2014128930.tif 000008